(57)【要約】【課題】故障が起きても撮影を行なえる状況においては、ユーザの判断により撮影を行なえる撮影装置を提供すること。【解決手段】デジタルカメラ内に配備された多数のセンサの出力信号の変化およびデジタルカメラ内部の各回路から出力されるエラーフラグをＣＰＵで検出することにより、撮影が可能であるかどうかの判断をＣＰＵが行なう。ＣＰＵが撮影可能であると判断した場合には撮影の可能性が高いことをＬＣＤパネルに表示しユーザに撮影を行なわせる。また、ＣＰＵが撮影の可能性が中程度であると判断した場合には、ピントがあっていない可能性はあるが撮影は可能であるので撮影の可能性が中程度であることをＬＣＤパネルに表示しユーザに撮影を行なうかどうかを判断させる。記録メディアコントロール回路と記録メディアからなる記録部に動作不良が発生した場合には、撮影不能であることを表示する。  【選択図】        図５
2005292185.tif 000002
【特許請求の範囲】
【請求項１】
撮影操作に応じて被写体の撮影を行なって画像データを生成するデジタルカメラにおいて、
このカメラの、複数種類の不良を検出する不良検出部と、
撮影が可能であることの可能性の情報を伴うエラー表示を行なうエラー表示部とを備えたことを特徴とする撮影装置。
【請求項２】
撮影レンズ前面を開閉自在に覆うレンズバリアを備えるとともに、前記不良検出部が該レンズバリアの開閉を検出するものであり、
前記エラー表示部は、前記不良検出部により前記レンズバリアが開いた状態にのみ留まっていることが検出された場合に、撮影が可能であることの可能性が高いことを表示するものであることを特徴とする請求項１記載の撮影装置。
【請求項３】
撮影レンズのピント調整機構を備えるとともに、前記不良検出部が該ピント調整機構の正常、異常を検出するものであり、
前記エラー表示部は、前記不良検出部によりピント調整機構の異常が検出された場合に、撮影が可能であることの可能性が中程度であることを表示するものであることを特徴とする請求項１記載の撮影装置。
【請求項４】
撮影により得られた画像データを記録しておく記録メディアを備え、前記不良検出部は該記録メディアへの記録が可能であるか否かを検出するものであり、
前記エラー表示部は、前記不良検出部により前記記録メディアへの画像データの記録が不能であることが検出された場合に、撮影が可能であることの可能性が低いことを表示するものであることを特徴とする請求項１記載の撮影装置。
【発明の詳細な説明】
【技術分野】
【０００１】
本発明は、撮影操作に応じて被写体の撮影を行なって画像データを生成する撮影装置に関する。
【背景技術】
【０００２】
撮影装置であるカメラの中には、カメラ内に装填されていたフィルムカートリッジを途中で取り出し、その取り出した後、その取り出したフィルムカートリッジの再装填を行ってもそのカートリッジ内のフィルムの撮影コマに撮影記録を行なえるカメラがある。このようなカメラにおいてはフィルムカートリッジが再装填されてもそのフィルムカートリッジ内のフィルムに途中から撮影の記録を行なえるように、フィルムカートリッジ内のフィルムの所定のトラックに撮影情報の記録が行なわれている。その記録された撮影情報をフィルムカートリッジが再装填されたときに読取部により読み取り、その読み取った撮影情報に基づいてフィルムカートリッジ内のフィルムの撮影コマが撮影面にセットされる。
【０００３】
しかし、読取部が故障してそのフィルムの所定のトラックに記録された撮影情報を読み取ることができない場合もあり、この場合にはフィルムの既撮影コマへの二重露光を防止するため撮影が一律に禁止され未使用フィルムであっても撮影が禁止されてしまう。そこでフィルムカートリッジにある使用済み、使用途中、未使用というフィルム表示手段の表示を検出手段により検出して、未使用を検出した場合にはユーザの判断に任せて撮影を行なえるようにしたカメラが発案されている（例えば特許文献１参照）。
【０００４】
ところで、上記カメラと同様に撮影装置の一つであるデジタルカメラ内には多数のセンサが配備されており、それらセンサによりデジタルカメラ内の様々な動作不良がエラーとして検出される。
【０００５】
図１は従来のデジタルカメラ内部で動作不良が発生したときにＣＰＵが行なう処理の手順を示すフローチャートである。図１は、電源が投入されて、プログラムが起動された後のＣＰＵの処理手順が示されている。
【０００６】
ＣＰＵは、ステップＳ１０１で故障によるエラーがあるかどうかを検出する。このステップＳ１０１でエラーを検出しなければ、Ｎｏ側へ進み、ステップＳ１０２で撮影処理、ステップＳ１０３で記録処理を行なう。撮影・記録処理を終えたらステップＳ１０４へ移行して電源オフかどうかを判断し、このステップＳ１０４で電源オフ操作が行なわれていることを検出したらこのフローの処理を終了する。また検出しなければ、ステップＳ１０１に戻ってステップＳ１０１からステップＳ１０４までの処理を繰り返し行なう。
【０００７】
ステップＳ１０１で動作不良によるエラーを検出したら、Ｙｅｓ側に進みステップＳ１０５でエラー表示を行い、ステップＳ１０２、ステップＳ１０３をスキップして、電源オフであるかどうかを判定する判定ステップＳ１０４へジャンプする。このように、エラーが検出されると、撮影・記録処理が行なわれず、エラー表示が行なわれ、そのエラーがある限りエラー表示が続けて行なわれ、撮影が禁止され続ける。
【０００８】
つまり、センサなどによりカメラ内部の動作不良がエラーとして検出された場合には、このデジタルカメラでの正しい撮影が保証されないためエラーが解除されない限り撮影が禁止される。このデジタルカメラ内部の動作不良として検出されるものの中には、例えばピント調整機構が動作不良となってピントの調整を精度良く行なえない場合などが含まれる。このピント調整機構の動作不良の場合にはピンボケとなった写真にはなるが撮影を行なえる状況にはあるため、カメラを使用するユーザの中には、若干ピントがずれていても、撮影状況によってシャッタチャンスにそのまま撮影を行ないたいと思う人もいる。
【特許文献１】特開平５−０３４７９２号公報
【発明の開示】
【発明が解決しようとする課題】
【０００９】
本発明は上記問題点を解決し、デジタルカメラを初めとする撮影装置内部に動作不良が起きても撮影を行なえる状況においては、ユーザの判断により撮影を行なえる撮影装置を提供することを目的とするものである。
【課題を解決するための手段】
【００１０】
本発明は、撮影操作に応じて被写体の撮影を行なって画像データを生成する撮影装置において、
この撮影装置の、複数種類の不良を検出する不良検出部と、
撮影が可能であることの可能性の情報を伴うエラー表示を行なうエラー表示部とを備えたことを特徴とする。
【００１１】
本発明の撮影装置によれば、撮影が可能であることの可能性の情報を伴うエラー表示がエラー表示部により行なわれる。そうすると、その表示された可能性の情報に基づいてユーザは撮影を行なうか行なわないかの判断を行なってから撮影を行なえる。特に撮影の可能性の高い情報の場合には、シャッタチャンスに撮影を中止することなく、撮影を行なえる。
【００１２】
ここで、撮影レンズ前面を開閉自在に覆うレンズバリアを備えるとともに、上記不良検出部が上記レンズバリアの開閉を検出するものであり、
上記エラー表示部は、上記不良検出部により前記レンズバリアが開いた状態にのみ留まっていることが検出された場合に、撮影が可能であることの可能性が高いことを表示するものであることが好ましい。
【００１３】
このようにレンズバリアが開いた状態にのみ留まっていること、すなわち開きっ放しになっていることが検出された場合には、撮影に支障がないので上記エラー表示として撮影が可能であることの可能性が高いことが表示される。そうすると、ユーザはそのエラー表示により上記動作不良が撮影には支障がないものと判断してシャッタチャンスに撮影を行なえる。
【００１４】
また、撮影レンズのピント調整機構を備えるとともに、上記不良検出部がそのピント調整機構の正常、異常を検出するものであり、
上記エラー表示部は、上記不良検出部によりピント調整機構の異常が検出された場合に、撮影が可能であることの可能性が中程度であることを表示するものであることが好ましい。
【００１５】
このようにすると、ユーザの判断により、ピンボケの写真になることを承知の上でシャッタチャンスに撮影を行なうことも、またユーザの判断により撮影を中止することもできる。
【００１６】
さらに、撮影により得られた画像データを記録しておく記録メディアを備え、上記不良検出部はその記録メディアへの記録が可能であるか否かを検出するものであり、
上記エラー表示部は上記不良検出部により上記記録メディアへの画像データの記録が不能であることが検出された場合に、撮影が可能であることの可能性が低いことを表示するものであることが好ましい。
【００１７】
このように撮影が可能であってもその撮影により得られた画像データを保存しておくことができないときは、撮影しても無意味のため、いままでどおりのエラー表示を行なってこの撮影装置を修理に出すことを促すことができる。
【発明の効果】
【００１８】
以上、デジタルカメラを初めとする撮影装置の内部に動作不良が起きても撮影を行なえる状況においては、ユーザの判断により撮影を行なえる撮影装置を提供することができる。
【発明を実施するための最良の形態】
【００１９】
以下図面を参照して本発明の実施の形態を説明する。
【００２０】
図２は本発明の撮影装置の一実施形態であるデジタルカメラの外観を示す図である。
【００２１】
図２（ａ）は正面図、（ｂ）は上面図、（ｃ）は側面図、（ｄ）は背面図であり、図２（ｅ）は電源が未投入でレンズバリアが撮影レンズ前面を覆っている状態を示す図である。
【００２２】
図２（ａ）〜（ｃ）に示す撮影レンズ１０１からカメラ１００内部に配備されている固体撮像素子まで被写体の像が導かれるようになっている。なお、図２（ａ），図２（ｃ）には電源が投入され、撮影レンズ１０１が繰り出された後のカメラの外観が示されているが、図２（ｂ）の脇の図２（ｅ）には電源が投入される前、レンズ１０１前面がレンズバリア１０１ａに覆われている状態も示されている。電源が投入されると、この図２（ｅ）の状態からレンズバリア１０１１が開放されて、図２（ａ）、図２（ｃ）に示すように撮影レンズ１０１が繰り出されて撮影準備が整えられる。
【００２３】
このデジタルカメラ１００でユーザに自在に撮影を行なわせるため、図２（ｄ）に示すデジタルカメラ１００の背面には多数の操作子が設けられている。その多数の操作子の中には、このデジタルカメラ１００を作動させるための電源投入用のパワースイッチ１０２、撮影モードと再生モードとを切替自在にする撮影・再生モード切替レバー１０３、十字キー１０４、ＯＫ釦１０５ａ、バック釦１０５ｂ、撮影モードを指定するモードダイヤル１０６、フラッシュをポップアップさせるポップアップスイッチ１０８などがある。
【００２４】
撮影・再生モード切替レバー１０３により撮影モード１０３ａが選択され、このデジタルカメラ１００の上面にあるレリーズ釦１０７が操作されると、撮影の開始指示がデジタルカメラ１００内部の信号処理部へと伝えられ、撮影処理がデジタルカメラ１００内部で行なわれる。また、このデジタルカメラ１００には、マイク１００２（図２（ａ）やそのマイク１００２で収録された音声を再生するためのスピーカ１００３（図２（ｄ））も配備されており、動画像を撮影する場合などにおいては、被写体側の音声をマイク１００２で収録してその収録した音声を画像データに関連づけて記録することもでき、またその記録した動画像データに基づく動画像を音声とともに再生することもできる。
【００２５】
また、デジタルカメラ１００背面側にはスルー画像を表示するためのＬＣＤパネル１０９ａが設けられており、このＬＣＤパネル１０９ａ上には、このデジタルカメラ１００に行なわせる動作をユーザに選択させる選択メニューや動作不良の情報なども表示される。なお、このＬＣＤパネル１０９ａをファインダとして使用しフレーミングを行なうことも、図２（ａ）に示す直視型のファインダ１００１を使用してフレーミングを行なうこともできる。
【００２６】
また、撮影・再生モード切替レバー１０３が再生モード１０３ｂに切り替えられると、記録メディア１４０に記録されている画像データのいずれかが読み出されてその画像データに基づく画像がＬＣＤパネル１０９ａに表示される。
【００２７】
さらに、図２（ｃ）に示すカメラ側面には、外部機器との接続用にＴＶモニター端子１００４、ＵＳＢ端子１００５、ＤＣＩＮ端子１００６がそれぞれ設けられており、これらの端子１００４〜１００６に専用のケーブルを接続すると、外部機器とこのデジタルカメラを接続することができる。例えばＴＶモニタ端子１００４を用いてこのデジタルカメラとＴＶモニタを接続すると、デジタルカメラ内に記録されている画像データに基づく画像をＴＶモニタ上に表示することができ、またＵＳＢ端子１００５を用いてこのデジタルカメラとパーソナルコンピュータ（以下ＰＣという）を接続すると、ＰＣの表示画面上に画像を表示することもできる。なおＤＣＩＮ端子１００６に外部電源を接続してデジタルカメラ内部の電池ではなく外部電源から供給される電力によってこのデジタルカメラ１００を動作させることもできる。
【００２８】
図３はデジタルカメラ１００の内部構成を示す図である。
【００２９】
このデジタルカメラ１００の動作は統括的にＣＰＵ１１１により制御される。このＣＰＵ１１１内にはＲＯＭが内蔵されており、その内蔵されたＲＯＭ内にプログラムが格納されている。このプログラムの手順にしたがってデジタルカメラ１００全体の動作がＣＰＵ１１１により制御される。図３（ｄ）に示す電源スイッチ１０２、撮影・再生モード切替レバー１０３、そのほかのスイッチ１０４〜１０８がこのＣＰＵ１１１にすべて接続されており、それらのスイッチのうちいずれかが操作されるとＣＰＵ１１１に操作信号が入力される。
【００３０】
まず、電源スイッチ１０２が投入されると、ＣＰＵ１１１により電源スイッチ１０２が投入されたことが検知され、図２（ｅ）に示すレンズバリア１０１１が開放され、図２（ｃ）に示すように撮影レンズ１０１が繰り出される。このときには、撮影レンズ１０１を繰り出す前にバリアセンサ１０１１ａの出力が変化したことをＣＰＵ１１１で検出した後、撮影レンズ１０１が繰り出される。このように撮影レンズ１０１が繰り出されたら、撮影処理又は再生処理がＣＰＵ１１１により開始される。ＣＰＵ１１１は、電源が投入されたときに撮影・再生モード切替レバー１０３の切替位置を検知して、その検知した切替位置が撮影モード１０３ａであったら撮影処理を開始してスルー画像をＬＣＤパネル１０９ａ上に表示し、切替位置が再生モード１０３ｂであったら記録メディア１４０に記録されている画像データに基づく画像をＬＣＤパネル１０９ａに表示させる。
【００３１】
ここで、撮影処理について図３を参照して動作を簡単に説明する。
【００３２】
ＣＰＵ１１１は、モード切替レバー１０３が図３に示すように撮影モード１０３ａに切り替えられていることを検知して撮影処理を開始し、ＣＣＤ１１０に結像されている被写体を表わす画像データを所定の間隔ごとにＣＤＳＡＭＰ１１１に出力させる。この所定の間隔ごとに出力される画像データを、Ａ／Ｄ変換部１１２以降の信号処理段で処理してスルー画像を得て、そのスルー画像をＬＣＤパネル１０９ａに表示させている。そうすると、撮影レンズ１０１が捉えた範囲の被写体があたかも動画像のようになってＬＣＤパネル１０９ａ上に表示される。
【００３３】
このＬＣＤパネル１０９ａ上に表示されているスルー画像に基づいてユーザによって任意にフレーミングが行なわれ撮影が行なわれるため、このデジタルカメラ１００を向けた方向の被写体がすぐにスルー画像として表示されるように、ＡＦ検出回路１３０で常に合焦点位置を検出して撮影レンズ１０１の中のフォーカスレンズ１０１ａをピント調整機構により合焦点位置に移動させている。このピント調整機構は、フォーカスレンズ１０１ａと、ＡＦ検出回路１３０の合焦点位置の検出結果に基づいてそのフォーカスレンズ１０１ａを駆動するモータ１０１ｃと、そのモータ１０１ｃによりフォーカスレンズ１０１ａを移動させるリードスクリュー（図示せず）、そのリードスクリューの回転により移動したフォーカスレンズ１０１ａの位置を検出するセンサ１０１ｂなどからなる。
【００３４】
また、このピント調整機構でのピント調整のほか、ＡＥ＆ＡＷＢ検出部１３１によって被写界輝度を検出して、小絞、あるいは開放絞り（図示せず）を切り替えて設定したり、ホワイトバランス調整のため、Ｒ、Ｇ、Ｂの各色信号のゲインを調整したりして、鮮明なスルー画像をＬＣＤパネル１０９ａ上に表示させるようにもしている。ユーザはこのスルー画像を見ながらフレーミングを行い、シャッタチャンスにレリーズ操作を行なう。
【００３５】
レリーズ釦１０７が押下されレリーズ操作が行なわれたら、ＣＰＵ１１１は、ＣＣＤ１１０にレリーズ操作時の画像を結像させるため、タイミングジェネレータ（図示せず）からＣＣＤ１１０にタイミング信号を供給させる。このタイミング信号はＣＣＤ１１０に露光開始および露光終了を告げるものでありいわゆるシャッタスピードに相当する。ＣＰＵ１１１はこの露光終了時にＣＣＤ１１０から画像データ（ＲＧＢの光の３原色Ｒ，Ｇ、Ｂからなる）を出力させ、その出力させた画像データが後段のＣＤＳＡＭＰ１１１に供給される。ＣＤＳＡＭＰ１１１では、ＣＣＤ１１０から出力された画像データの雑音の低減を行なってその雑音を低減した画像データをＡ／Ｄ変換部１１２に供給する。このＡ／Ｄ変換部１１２でデジタル信号に変換されたＲＧＢからなる画像データが画像信号処理回路１１３に供給され、この画像信号処理回路１１３でＲＧＢ信号からＹＣ信号への変換が行なわれる。さらにこのＹＣ信号が圧縮伸張処理回路１１４に供給され圧縮されてメディアコントロール回路１１５を介してその圧縮された画像データが記録メディア１４０に画像ファイルとして記録される。
【００３６】
また、このデジタルカメラ１００には撮影モードを指定する撮影モードダイヤル１０６が配備されており、そのモードダイヤル１０６で指定することができる撮影モードの中には、動画像撮影モードがある。この撮影モードダイヤル１０６で動画撮影モードが指定されている場合には、動画像に基づく動画像データのほかその動画像とともに音声データも記録される。この音声データは、動画像を撮影しているときにマイク１００２を経由して収録される音声であり、そのマイク１００２で収録された音声が音声データとなって音声処理回路１１６に供給され、この音声処理回路１１６でスピーカ１００３に適した音声データに変換される。
【００３７】
ＣＰＵ１１１では、この音声データが動画像撮影中のものであると判断した場合には、その音声データと動画像データとを関連付けて、動画像データファイルとして記録メディア１４０に記録する。
【００３８】
次に再生処理に係る操作を簡単に説明する。
【００３９】
ＣＰＵ１１１は、撮影・再生モード切替レバー１０３が再生１０３ｂ側に切り替えられたことを検知したら、記録メディア１４０内に記録されている画像データをメディアコントロール回路１１５により読み出させ、圧縮・伸張処理回路１１４で伸張処理を行なった画像データを画像再生処理回路１１７に供給させる。この画像再生処理回路１１４では、伸張された画像データにＬＣＤモニタにあった処理を施してからその処理を施した画像データをＬＣＤドライブ回路１０９に出力する。ＬＣＤドライブ回路１０９ではその画像データを受けてＬＣＤモニタ１０９ａを駆動し、画像データに基づく画像をＬＣＤパネル１０９ａ上に表示させる。この再生では、特に指定のない限り、一番新しく記録された画像データに基づく画像が再生表示される。
【００４０】
また、このデジタルカメラ１００にはＴＶモニタ端子１００４を用いて再生画像をＴＶモニタ上で楽しむことができるようにもするため、記録メディア１４０から読み出された画像データをＴＶモニタ上に表示することができる画像データにビデオエンコード回路１１８で変換してから動画像データを外部に出力している。
【００４１】
以上のような撮影・再生機能を持ったデジタルカメラを用いて撮影を行なう際、デジタルカメラ内部に動作不良が起こると撮影を行なえなくなる状況が発生することがあるため、このデジタルカメラでは、複数の動作不良のいずれかを検出したときにその検出した動作不良に基づくエラー表示をＬＣＤパネル１０９ａ上に行なってユーザにデジタルカメラの動作不良を知らせている。このようにしておくとデジタルカメラを修理にすぐに出すこともでき、ユーザにとっては使い勝手の良いデジタルカメラとなる。
【００４２】
このデジタルカメラ１００の動作不良の中にはレンズバリア１０１１の開閉動作の動作不良やピント調整機構の動作不良などがある。例えばレンズバリアの開閉動作に動作不良があると、バリアセンサ１０１ｂの出力信号の異常がＣＰＵ１１１により検出される。この異常の中にはバリアセンサ自体の動作不良も含まれている。また、ピント調整機構の例えばリードスクリューとフォーカスレンズ１０１ａのレンズ保持枠との係合部に係合不良が生じたり、センサ自体が動作不良を起こしたりすると、フォーカスレンズ１０１ａが動かなくなってフォーカスレンズ１０１ａの位置を検出するセンサ１０１ｂの出力信号の異常がＣＰＵ１１１により検出される。また、記録メディア１４０に記録されている画像データの読出エラーあるいは記録メディアへの書込エラーが発生したときには、記録メディアコントローラからエラーフラグが出力され、ＣＰＵ１１１により記録・読出処理に関する動作不良が検出される。この動作不良にはメディアコントローラ側だけでなく記録メディア自体の動作不良も含まれている。このバリアセンサ１０１１ａとセンサ１０１ｂといったものに代表されるエラー検出用のセンサ類やエラーフラグを出力するメディアコントロール回路１１５に代表される回路類と、それらセンサ類、回路類から出力される信号の異常を検出するＣＰＵが、このデジタルカメラの、複数種類の不良を検出する不良検出部に当たる。
【００４３】
ＣＰＵ１１１では、バリアセンサ１０１１ａ、センサ１０１ｂなどから出力される信号の異常やメディアコントロール回路１１５から出力されるエラーフラグを検出して、画像再生処理回路１１７を介してＬＣＤドライブ回路１０９にエラー情報を表わすデータを供給し、ＬＣＤドライブ回路１０９によりＬＣＤパネル１０９ａを駆動させてＬＣＤパネル１０９ａ上にエラー表示を行なっている。このＣＰＵ１１１とＬＣＤドライブ回路１０６とＬＣＤモニタ１０６ａとが本発明にいうエラー表示部に当たる。
【００４４】
図５は本実施形態のデジタルカメラ内の動作不良検出部で動作不良を検出したときにＣＰＵ１１１が行なう処理の手順を示すフローチャートである。図５は、電源が投入されて、ＣＰＵ１１１内のＲＯＭに格納されたプログラムが起動された後の処理手順が示されている。
【００４５】
図１のステップＳ１０１とステップＳ１０５の間に撮影不可能であるかどうかを判断する判断ステップＳ１０６を付加し、撮影が可能である場合には撮影、記録処理を行なえるように改良している。
【００４６】
まず、ステップＳ１０１でエラーを検出したら、Ｙｅｓ側に進んでステップＳ１０６で撮影不可能であるかどうかを判断する。このステップＳ１０６で、撮影不可能ではないと判断したら、Ｎｏ側へ進んでステップＳ１０７でエラー表示を行なう。さらにこのエラー表示によりステップＳ１０８で撮影を行なうかどうかをユーザに判断させ、撮影を行なう場合にはＹｅｓ側に進んでステップＳ１０２で撮影処理を行なってステップＳ１０３でその撮影した被写体を表わす画像データを記録メディアに記録する。このデジタルカメラ１００では、レリーズ釦１０７に半押し、全押しの２つの操作態様を持たせてあるので、ステップＳ１０８で半押しから基の位置にレリーズ釦が復帰したら、Ｎｏ側に進み、全押しされたらＹｅｓ側に進む構成になっている。
【００４７】
なお、ステップＳ１０６でＹｅｓと判断されたら、図１と同様、ステップＳ１０５でエラー表示を行ないステップＳ１０５で電源オフ操作が行なわれたどうかを判断する。
【００４８】
図５のステップＳ１０６〜Ｓ１０８が本実施形態のカメラの特徴部分であり、ステップＳ１０７で、撮影が可能であることの可能性の情報を伴うエラー表示をＬＣＤパネルに行なっている。また、撮影不能である場合には撮影・記録処理を行なえないのでステップＳ１０５でいままでどおりのエラー表示を行なっている。
【００４９】
図５はそのエラー表示の内容を示す例である。
【００５０】
図５（ａ）は、レンズバリアの動作不良が検出された場合のエラー表示の一例であり、図５（ｂ）はピント調整機構に動作不良が検出された場合のエラー表示の一例であり、図５（ｃ）は記録メディアコントローラ部で書込み不良が検出され、エラーフラグが出力された場合のエラー表示の一例である。
【００５１】
図５（ａ）に示すように、レンズバリアの動作不良が検出された場合には、“レンズバリアエラーです。バリアセンサの不良も考えられます。その場合には撮影可能です。”というエラー表示を行なって、レンズバリアが開いた状態にのみ留まっていることが検出された場合に、撮影が可能であることの可能性が高いことを表示している。このようにレンズバリアが開いてさえいれば、撮影に支障を与えるものではないので撮影が可能であることの可能性が非常に高い。そこで、ＣＰＵは、レンズバリアが開いた状態に留まっていることを検出した場合に、このようなメッセージを表示して撮影の可能性が高いことをユーザに示し、ユーザに撮影をそのまま行なわせている。
【００５２】
また、ＣＰＵ１１１とフォーカスレンズ１０１ａの位置を検出するセンサ１０１ｂからなる不良検出部によりピント調整機構の異常が検出された場合に、“フォーカスエラーです。所定の位置にピントがあっていない可能性がありますが、撮影は可能です。”という表示を行なって、撮影が可能であることの可能性が中程度であることを表示している。この場合、ＣＰＵ１１１によりフォーカスレンズの位置を検知することができないが、フォーカスレンズの位置をＣＰＵ１１１が検知不能であっても撮影は可能であるため、シャッタチャンスを優先させたいユーザのために、このようなメッセージを表示している。当然のことながら、レリーズ釦の半押し時にこのメッセージの表示を見てユーザが撮影を中止にすることも可能であり、そのときには、半押しから基の位置にレリーズ釦を復帰させれば撮影は中止される。
【００５３】
さらに、ＣＰＵと記録メディアコントローラからなる不良検出部により記録メディアへの画像データの記録が不能であることが検出された場合には撮影が思っても記録メディアへの記録を行なえないので、“画像をメディアに書き込むことができません。撮影を行なっても撮影不能です。”の表示を行なって、撮影が可能であることの可能性が低いので撮影を禁止している。
【００５４】
以上説明したように故障が起きても撮影を行なえる状況においては、ユーザの判断により撮影を行なえるカメラを提供することができる。
【００５５】
このようにすることで、旅先などで撮影に影響のない故障が起きた場合に、シャッタチャンスを無駄にすることなく撮影を行なえて、あとでゆっくりとこのデジタルカメラの修理を依頼することができる。
【００５６】
なお、本実施形態のデジタルカメラでは、バリアセンサ、フォーカスレンズの位置を検出するセンサ、記録メディアコントロール回路の出力フラグを例に挙げて説明したが、他のセンサで検出され、そのセンサの出力信号からＣＰＵが異常であると検出するもので、撮影が可能である場合があればその場合すべてにおいて適用可能である。
【００５７】
また、本実施形態においては撮影装置の一例としてデジタルカメラを例に挙げたが、カメラ付き携帯電話機などにも適用可能である。
【図面の簡単な説明】
【００５８】
【図１】従来のデジタルカメラに配備されたＣＰＵが行なうエラー表示の処理手順を示すフローチャートである。
【図２】本発明の一実施形態であるデジタルカメラの外観を示す図である。
【図３】図２のデジタルカメラ１００の内部構成を示す図である。
【図４】ＣＰＵが行なうエラー表示の処理手順を示すフローチャートである。
【図５】そのエラー表示例を示す図である。
【符号の説明】
【００５９】
１００    デジタルカメラ
１００１    ファインダ
１００２    マイク
１００３    スピーカ
１００４    ＴＶモニタ端子
１００５    ＵＳＢ端子
１００６    ＤＣ入力端子
１０１    撮影レンズ
１０１１    ホームポジションセンサ
１０１２    モータ
１０１３    ドライバ
１０１ａ    レンズバリア
１０１ｂ    バリアセンサ
１０１ｃ    モータ
１０１ｄ    ドライバ
１０２    電源スイッチ
１０３    撮影・再生モード切替レバー
１０３ａ    撮影モード
１０３ｂ    再生モード
１０４    十字キー
１０５ａ    ＯＫ釦
１０５ｂ    バック釦
１０６    撮影モードダイヤル
１０７    レリーズ釦
１０８    ポップアップスイッチ
１０９    ＬＣＤドライブ回路
１０９ａ    ＬＣＤパネル
１１０    ＣＣＤ
１１１    ＣＤＳＡＭＰ
１１２    Ａ／Ｄ変換部
１１３    画像信号処理回路
１１４    圧縮・伸張処理回路
１１５    メディアコントロール回路
１１６  音声処理回路
１１６ａ    音声再生回路
１１７    画像再生処理回路
１１８    ビデオエンコード回路
１３０    ＡＦ検出回路
１３１    ＡＥ＆ＡＷＢ検出回路
【図１】
2005292185.tif 000003
【図２】
2005292185.tif 000004
【図３】
2005292185.tif 000005
【図４】
2005292185.tif 000006
【図５】
2005292185.tif 000007